(57)【要約】【課題】  遠隔制御端末からコンピュータネットワークを介して遠隔制御される通信線路切替装置を、スイッチ構成の異なる複数の通信線路切替ユニットで構成すること。【解決手段】  遠隔制御端末４０から遠隔制御開始指示を受信すると、光通信線路切替制御装置２０のマイクロコンピュータ２１は、種別情報メモリ３２から切替種別と切替の現在状態情報を読み出し、遠隔操作インターフェイスメモリ２２に格納されている遠隔操作インターフェイス情報を更新する。作業員は、遠隔制御端末４０上に表示された遠隔操作画面を利用して、光通信線路切替装置１０のスイッチの切替を指示する。すると、光通信線路切替制御装置２０は指示された光通信線路切替ユニットに切替指示を与え、光通信線路切替ユニットの制御コントローラ３１は制御回路３３を制御して光スイッチ３４の切替を行わせる。【選択図】  図1
2005303767.tif 000002
【特許請求の範囲】
【請求項１】
複数の通信線路切替ユニットと通信線路切替制御装置とを備えた通信線路切替装置と、コンピュータネットワークを介して前記通信線路切替装置に接続された遠隔制御端末とから構成された通信線路切替システムであって、
前記通信線路切替ユニットは、切替種別に応じた通信線路切替素子と、前記通信線路切替制御装置からの指示によって前記通信線路切替素子を駆動制御する制御回路と、前記切替種別を示した種別情報を前記通信線路切替制御装置から読出し可能な種別情報メモリとを備えて構成されたものであり、且つ、
前記通信線路切替制御装置は、前記コンピュータネットワークにネットワークインターフェイスを介して接続されたマイクロコンピュータと遠隔操作インターフェイスメモリを備え、前記通信線路切替ユニットの種別情報メモリから切替種別を読み出し、前記遠隔操作インターフェイスメモリに格納されている遠隔操作インターフェイス情報を更新するものであることを特徴とする通信線路切替システム。
【請求項２】
前記通信線路切替制御装置は、前記遠隔制御端末からのアクセスに基づいて、前記通信線路切替ユニットの種別情報メモリから切替種別を読み出し、前記遠隔操作インターフェイスメモリに格納されている遠隔操作インターフェイス情報を更新するものであることを特徴とする請求項１の通信線路切替システム。
【請求項３】
前記遠隔制御端末は、前記遠隔操作インターフェイス情報に基づいて操作表示画面を構築するものであることを特徴とする請求項２の通信線路切替システム。
【請求項４】
前記通信線路切替ユニットは手動で通信線路切替制御が可能な手動制御回路を備え、且つ、前記通信線路切替制御装置は前記手動制御回路の有効無効を選択するための選択手段を備えたものであることを特徴とする請求項１の通信線路切替システム。
【請求項５】
前記通信線路切替ユニットと通信線路切替制御装置とは１つの筐体に収納されていることを特徴とする請求項１の通信線路切替システム。
【請求項６】
前記通信線路切替ユニットは光通信線路切替ユニットであり、前記通信線路切替素子は光スイッチ素子であることを特徴とする請求項１から５のいずれかの通信線路切替システム。
【発明の詳細な説明】
【技術分野】
【０００１】
本発明は、遠隔制御端末からコンピュータネットワークを介して通信線路切替装置を制御して通信線路の切替を行う通信線路切替システムに関し、特に、光通信線路切替装置を制御して光通信線路の切替を行う光通信線路切替システムに関する。
【背景技術】
【０００２】
本発明が適用される光通信線路切替システムを備えた通信システムは、例えば図７に示す如く、通信装置Ｔ１〜Ｔ２の任意の１つと通信装置Ｔ９との通信リンクを確立する光通信線路切替装置ＳＷ１、通信装置Ｔ３〜Ｔ４の任意の１つと通信装置Ｔ１０との通信リンクを確立する光通信線路切替装置ＳＷ２、通信装置Ｔ５〜Ｔ８の任意の１つと通信装置Ｔ１１との通信リンクを確立する光通信線路切替装置ＳＷ３とで構成されている。光通信線路切替装置ＳＷ１と光通信線路切替装置ＳＷ２はいずれも、共通ポートＰ０と２つの接続ポートＰ１、Ｐ２を備えた１対２スイッチ構成である。また、光通信線路切替装置ＳＷ３は、共通ポートＰ０と４つの接続ポートＰ１、Ｐ２、Ｐ３、Ｐ４を備えた１対４スイッチ構成である。
【０００３】
即ち、図７に示す光通信線路切替システムを備えた通信システムにおいて、光通信線路切替装置ＳＷ１は、接続ポートＰ１を光ファイバーケーブルＦＣ１を介して通信装置Ｔ１に、接続ポートＰ２を光ファイバーケーブルＦＣ２を介して通信装置Ｔ２に、共通ポートＰ０を光ファイバーケーブルＦＣ９を介して通信装置Ｔ９にそれぞれ接続されている。また、光通信線路切替装置ＳＷ２は、接続ポートＰ１を光ファイバーケーブルＦＣ３を介して通信装置Ｔ３に、接続ポートＰ２を光ファイバーケーブルＦＣ４を介して通信装置Ｔ４に、共通ポートＰ０を光ファイバーケーブルＦＣ１０を介して通信装置Ｔ１０にそれぞれ接続されている。更に、光通信線路切替装置ＳＷ３は、接続ポートＰ１を光ファイバーケーブルＦＣ５を介して通信装置Ｔ５に、接続ポートＰ２を光ファイバーケーブルＦＣ６を介して通信装置Ｔ６に、接続ポートＰ３を光ファイバーケーブルＦＣ７を介して通信装置Ｔ７に、接続ポートＰ４を光ファイバーケーブルＦＣ８を介して通信装置Ｔ８に、共通ポートＰ０を光ファイバーケーブルＦＣ１１を介して通信装置Ｔ１１にそれぞれ接続されている。
【０００４】
特開２００３−２７４４６４号公報（特許文献１）には、光通信線路切替システムを遠隔制御端末から制御する遠隔制御システムが開示されている。この従来の遠隔制御システムは、図８に示す如く、それぞれのネットワークインターフェースを介してローカルエリアネットワークＬＡＮに接続されている光通信線路切替装置ＳＷ１〜ＳＷ３と、そのネットワークインターフェースを介してローカルエリアネットワークＬＡＮに接続されているパソコンなどの遠隔制御端末ＰＣとで構成されている。要するに、光通信線路切替装置ＳＷ１〜ＳＷ３は、光通信線路切替素子及びその制御回路とコンピュータネットワークに接続可能なハードウエア及びソフトウエアを有する光通信線路切替装置である。そして、遠隔制御端末ＰＣは、コンピュータネットワークに接続可能なハードウエア及びソフトウエアを有する遠隔制御端末である。
【０００５】
この従来の遠隔制御システムにおいて、光通信線路切替装置ＳＷ１とＳＷ２は同じ１対２スイッチ構成であることから、２チャンネル型光通信線路切替装置を構成し、あたかも一つの光通信線路切替装置としてローカルエリアネットワークＬＡＮに接続することができる。これは、光通信線路切替装置ＳＷ１とＳＷ２が同じ１対４スイッチ構成であっても、２チャンネル型光通信線路切替装置を構成できる。もし、スイッチ構成が同じ８個の光通信線路切替装置であれば、８チャンネル型光通信線路切替装置を構成できるのである。
【０００６】
従来の遠隔制御システムおいては、上述の如く、スイッチ構成が同じものである場合に限って、複数の光通信線路切替装置で多チャンネル型光通信線路切替装置を構成できる。しかしながら、例えば図７に示す如く、１対２スイッチ構成の光通信線路切替装置ＳＷ１とＳＷ２と、１対４スイッチ構成の光通信線路切替装置ＳＷ３とをまとめて、あたかも一つの光通信線路切替装置としてローカルエリアネットワークＬＡＮに接続することができない。即ち、スイッチ構成の異なる光通信線路切替装置を混在させ、あたかも一つの光通信線路切替装置としてローカルエリアネットワークＬＡＮに接続することができない。
【０００７】
このため、従来の遠隔制御システムにおいては、スイッチ構成が異なる場合には、スイッチ構成ごとに光通信線路切替装置を用意する必要がある。例えば、１対２スイッチ構成の光通信線路切替装置、１対２スイッチ構成の多チャンネル型光通信線路切替装置、１対４スイッチ構成の光通信線路切替装置、１対４スイッチ構成の多チャンネル型光通信線路切替装置などと、様々な種類の光通信線路切替装置を用意する必要がある。このような従来の遠隔制御システムを、スイッチ構成が複雑な光通信線路切替システムに適用すると、運用面での作業ミスや運用コストの増大を招く。また、従来の遠隔制御システムにおいては光通信線路切替装置はスイッチ構成が固定されているので、運用中の光通信線路切替システムで、例えば１対２スイッチ構成から１対４スイッチ構成にその構成を変更する必要が発生した場合には、１対２スイッチ構成の光通信線路切替装置を１対４スイッチ構成の光通信線路切替装置にそっくり交換しなければならないという問題もある。更にまた、運用中の光通信線路切替システムで、多チャンネル型光通信線路切替装置で設置現場でチャンネルの追加を行うことは不可能である。従って、運用中の光通信線路切替装置のスイッチ構成の変更、チャンネル追加は、運用中の光通信線路切替装置の撤去と新たな光通信線路切替装置の設置を必ず伴うことになるので、設備導入費用も運用費用も高くつくという問題がある。
【０００８】
【特許文献１】特開２００３−２７４４６４号公報
【発明の開示】
【発明が解決しようとする課題】
【０００９】
本発明が解決しようとする課題は、遠隔制御端末からコンピュータネットワークを介して通信線路切替装置を遠隔制御して通信線路の切替を行う通信線路切替システムにおいて、前記通信線路切替装置を切替種別の異なる複数の通信線路切替ユニットを装備して構成することである。ここに、切替種別とは、通信線路切替ユニットを構成している信線路切替素子のスイッチ構成の種別、即ち１対２スイッチや１対４スイッチなどのスイッチ構成の種別であるが、同一スイッチ構成でチャンネル数が異なる構成、付加機能の有無などの種別も含むものである。
【課題を解決するための手段】
【００１０】
上述の課題を解決するために、複数の通信線路切替ユニットと通信線路切替制御装置とで通信線路切替装置を構成した。前記通信線路切替ユニットは、通信線路切替素子と、前記通信線路切替素子を駆動制御する制御部と、前記通信線路切替ユニットの切替種別を示す種別情報を格納した種別情報メモリであって前記通信線路切替制御装置から前記種別情報を読出すことが可能な種別情報メモリとを備えている。また、前記通信線路切替制御装置を前記コンピュータネットワークにネットワークインターフェイスを介して接続されたマイクロコンピュータとインターフェイスメモリとを備えている。そして、前記通信線路切替制御装置は、前記種別情報メモリから切替種別を読み出し、前記インターフェイスメモリに格納されている遠隔制御のための操作インターフェイス情報を更新する。
【発明の効果】
【００１１】
本発明により、切替種別の異なる複数の通信線路切替ユニットを１個の通信線路切替制御装置で制御する通信線路切替装置が提供された。従って、切替種別毎に通信線路切替制御装置を備える必要がなくなったので、遠隔制御端末からコンピュータネットワークを介して通信線路切替装置を制御して通信線路の切替を行う通信線路切替システムの運用コストが低減でき、また作業員による作業ミスも著しく抑制できるようになった。更に、通信線路切替ユニットを適宜に組合せて様々な構成の通信線路切替装置を実現できるので、設備導入コストの低減も図られた。
【発明を実施するための最良の形態】
【００１２】
本発明に係る通信線路切替システムは、複数の通信線路切替ユニットと通信線路切替制御装置とを備えた通信線路切替装置と、コンピュータネットワークを介して前記信線路切替装置に接続された遠隔制御端末とから構成されている。前記通信線路切替ユニットは、通信線路切替素子と、前記通信線路切替素子を駆動制御する制御部と、前記通信線路切替ユニットの切替種別を示す種別情報を格納した種別情報メモリであって前記通信線路切替制御装置から前記種別情報を読出すことが可能な種別情報メモリとを備えている。前記通信線路切替制御装置を前記コンピュータネットワークにネットワークインターフェイスを介して接続されたマイクロコンピュータとインターフェイスメモリとを備えている。そして、前記通信線路切替制御装置は、前記遠隔制御端末からの遠隔制御開始の指示によって前記種別情報メモリから切替種別を読み出し、前記インターフェイスメモリに格納されている遠隔制御のための操作インターフェイス情報を更新する。
【実施例】
【００１３】
本発明の実施例の光通信線路切替システムは、図１に示す如く、３個の光通信線路切替ユニット３０Ａ、３０Ｂ、３０Ｃと１個の光通信線路切替制御装置２０とを備えた光通信線路切替装置１０と、コンピュータネットワークＬＡＮを介して光通信線路切替装置１０に接続された遠隔制御端末ＰＣとから構成された通信線路切替システムである。
【００１４】
光通信線路切替ユニット３０は、ＣＰＵ、ＲＯＭ、ＲＡＭなどから成る制御コントローラ３１、種別情報メモリ３２、駆動回路３３、当該線路切替ユニットの切替種別に応じた構成の光スイッチ素子３４、切替状態インジケータ３５、及び手動切替ボタン３６を具備して構成されている。
【００１５】
光通信線路切替制御装置２０は、ネットワークインターフェイス２３、コンピュータネットワークＬＡＮにネットワークインターフェイス２３を介して接続されたマイクロコンピュータ２１、遠隔操作インターフェイスメモリ２２、及び動作モード設定スイッチ２４を備えて構成されている。
【００１６】
光通信線路切替装置１０の概観は、図２の正面側から見た斜視図と図３の背面側から見た斜視図に示す通りである。また、光通信線路切替ユニット３０の概観は、図４の側面図に示す通りである。更に、光通信線路切替ユニット３０Ｂ、３０Ｃの概観も図４の側面図に示す通りである。図２〜図４に示す如く、３個の光通信線路切替ユニット３０Ａ、３０Ｂ、３０Ｃは、光通信線路切替装置１０のケース１１内に収納されている。
【００１７】
光通信線路切替装置１０のケース１１には、もう１個の光通信線路切替ユニットを収納するための空スペース１９が用意されている。更に、光通信線路切替装置１０のケース１１には、光通信線路切替制御装置２０が収納されている。光通信線路切替制御装置２０はケーブルによって３個の光通信線路切替ユニット３０Ａ、３０Ｂ、３０Ｃと接続されている。光通信線路切替ユニット３０Ａのケース１２には、手動切替ボタン３６、切替状態インジケータ３５、光通信線路接続ポート１６、光通信線路切替制御装置２０と接続するための接続コネクタ１７が装着されている。更に、光通信線路切替装置１０のケース１１には、電源スイッチ１３と動作モード設定スイッチ２４が正面に、ネットワーク接続ポート１４と電源ポート１５が背面に装着されている。
【００１８】
制御コントローラ３１は例えばマイクロコンピュータとメモリで構成され、光通信線路切替ユニット３０の動作全般を司るものである。制御コントローラ３１は、手動切替ボタン３６の押下による光通信線路切替指示、もしくは光通信線路切替制御装置２０から接続コネクタ１７を介して送られてきた遠隔操作による光通信線路切替指示を受ける。光通信線路切替指示を受けた制御コントローラ３１は、切替状態インジケータ３５の表示を更新すると共に、駆動回路３３に対して切替信号を送出する。駆動回路３３は切替信号に基づいて光スイッチ素子３４を駆動する。
【００１９】
駆動回路３３及び光スイッチ素子３４は、光通信線路切替種別に応じて異なった構成を持つ。即ち、１対２スイッチの光通信線路切替ユニットであれば１対２の光スイッチ及びこれに対応した駆動回路であり、１対４スイッチの光通信線路切替ユニットであれば１対４の光スイッチ素子及びこれに対応した光駆動回路である。
【００２０】
また、光スイッチ素子３４と各光通信線路接続ポート１６とは光ファイバーで適切に接続されている。更に、制御コントローラ３１は、光通信線路切替制御装置２０から接続コネクタ１７を介して送られてくるユニット種別情報読出指示によって、種別情報メモリ３２に格納している光通信切替種別を示す情報を読出し、光通信線路切替制御装置２０に送出する。これは光通信線路切替ユニット３０Ｂと３０Ｃについても同じである。
【００２１】
ネットワークインターフェイス２３は、ネットワーク接続ポート１４に接続されたコンピュータネットワークＬＡＮとマイクロコンピュータ２１とを電気的及びプロトコル的に仲介するものである。
【００２２】
遠隔操作インターフェイスメモリ２２には、遠隔操作インターフェイス情報が格納されている。この遠隔操作インターフェイス情報は、コンピュータネットワークＬＡＮを介して光通信線路切替制御装置２０と接続されている遠隔操作端末４０に対して送出され、遠隔操作端末４０上で操作表示画面を構築させるための情報である。
【００２３】
次に、図６のフローチャートを参照して、本発明の実施例の動作を説明する。作業員はキーボードなどの入力装置を操作して遠隔制御の開始指示を遠隔制御端末４０に入力すると、遠隔制御端末４０は遠隔制御開始信号をコンピュータネットワークＬＡＮを介して光通信線路切替制御装置２０に送信する。光通信線路切替制御装置２０のマイクロコンピュータ２１はネットワークインターフェイス２３を介して遠隔制御開始信号の受信すると（１０１）、光通信線路切替ユニット３０Ａ、３０Ｂ、３０Ｃからそれぞれのユニット種別情報と切替の現在状態情報を読出す（１０２）。続いて、マイクロコンピュータ２１は、これらのユニット種別情報と切替の現在状態情報に基づいて、遠隔操作インターフェイスメモリ２２に格納されている遠隔制御のためのインターフェイス情報を更新し（１０３）、コンピュータネトワークＬＡＮを介して遠隔制御端末４０に更新した遠隔制御のためのインターフェイス情報を送信する（１０４）。
【００２４】
遠隔制御端末４０は、更新した遠隔制御のためのインターフェイス情報をコンピュータネトワークＬＡＮを介して受信すると、図５に示す如き遠隔操作画面４２を表示させる。遠隔操作画面４２は、光通信線路切替装置１０のケース１１の正面図に対応したもので、光通信線路切替ユニット３０Ａ、３０Ｂ、３０Ｃ、及び空きスペース１９にそれぞれ対応した矩形４３、４４、４５、４６が含まれている。矩形４３、４４、４５には、選択された手動切替ボタンが黒丸４７で、選択されていない手動切替ボタンが白丸４８でそれぞれ表示されている。即ち、図５の遠隔操作画面４２は、１対２光スイッチを備える光通信線路切替ユニット３０Ａは接続ポートＰ１に、１対２光スイッチを備える光通信線路切替ユニット３０ｂは接続ポートＰ２に、そして１対４光スイッチを備える光通信線路切替ユニット３０Ｃは接続ポートＰ４にそれぞれ切替えられていることを表示している。
【００２５】
作業員はマウスなどの入力装置を操作して遠隔操作画面４２の手動切替ボタンを切替えると、遠隔制御の切替指示信号がコンピュータネトワークＬＡＮを介して光通信線路切替制御装置２０に送信される。この切替指示信号には、光通信線路切替ユニット番号と手動切替ボタンの位置即ち接続ポートを特定した情報が含まれている。
【００２６】
光通信線路切替制御装置２０は遠隔制御端末４０から遠隔制御開始信号の受信を待機している。そこで、光通信線路切替制御装置２０は切替指示信号を受信すると（１０５）、指示された光通信線路切替ユニットに切替指示を与え、前記光通信線路切替ユニットの光スイッチを操作して光通信線路の切替を行わせる（１０６）。
【００２７】
上述の如く、作業員が遠隔操作端末４０を操作して光通信線路切替装置１０にアクセスすると、光通信線路切替制御装置２０のマイクロコンピュータ２１は光通信線路切替ユニット３０Ａ、３０Ｂ、３０Ｃからそれぞれのユニット種別情報及び現在の切替状態情報を読み出して取得する。次に、これらの取得情報を基に、遠隔操作インターフェイスメモリ２２から遠隔操作インターフェイス情報を読み出して操作画面を構築し、構築した操作画面の情報を遠隔操作端末４０に送出する。これによって、遠隔操作端末４０の表示画面４１には図５に示す如き遠隔操作画面４２が表示される。作業員は、遠隔操作端末４０の表示画面に表示された遠隔操作ウインドウ４２の切替ボタンイメージの中から所望のボタンイメージをマウスなどで選択クリックし、光通信線路切替の遠隔操作を行う。
【００２８】
このような動作は、光通信線路切替制御装置２０のマイクロコンピュータ２１にウエブサーバー機能を持たせ、更にCGI(Common Gateway Interface)によって動的なＨＴＭＬファイルの自動生成を行うようにすれば、パーソナルコンピュータによる遠隔操作端末のウェブプラウザ・ソフトウエアを用いることで実現させることができる。なお、複数の遠隔操作作業者を想定した場合、遠隔操作時にユーザ情報の入力を求め、遠隔操作利用権限の有無を判断する。又は、装備している光通信線路切替ユニット毎に遠隔操作利用権限を制限するといった機能を付加するようにしてもよい。
【００２９】
以上、本発明を光通信システムに適用した実施例を詳細に説明したが、本発明はその他の通信システムにも適用することが勿論可能である。また、コンピュータネットワークとしてローカルエリアネットワークＬＡＮを採用したが、インターネット、又はインターネットとＬＡＮを組み合わせたものであってもよい。同様に、遠隔制御端末は据置型のパソコンに限らず、携帯端末であってもよい。更に、本明細書における種別情報は、半導体メモリの如き種別情報メモリから読み出されて設定されるものに限定されるものではなく、例えば半固定スイッチなどで設定されるものも含むものである。要するに、前記種別情報メモリは種別情報の設定記憶手段である。
【図面の簡単な説明】
【００３０】
【図１】本発明の一実施例の光通信線路切替システムのブロック構成図である。
【図２】複数の光通信線路切替ユニットを備えた光通信線路切替装置の一実施例の正面側から見た斜視図である。
【図３】複数の光通信線路切替ユニットを備えた光通信線路切替装置の一実施例の背面側から見た斜視図である。
【図４】光通信線路切替ユニットの一実施例の側面図である。
【図５】遠隔操作画面の一例である。
【図６】光通信線路切替制御装置の動作の一例のフローチャートである。
【図７】光通信線路切替システムを備えた通信システムの一例である。
【図８】従来の光通信線路切替システムを示す図である。
【符号の説明】
【００３１】
１０  光通信線路切替装置
１１，１２  ケース
１３  電源スイッチ
１４  ネットワーク接続ポート
１５  電源ポート
１６  光通信線路接続ポート
１７  接続コネクタ
１９  空きスペース
２０  光通信線路切替制御装置
２１  マイクロコンピュータ
２２  遠隔操作インターフェイスメモリ
２３  ネットワークインターフェイス
２４  動作モード設定スイッチ
３０Ａ，３０Ｂ，３０Ｃ  光通信線路切替ユニット
３１  制御コントローラ
３２  種別情報メモリ
３３  駆動回路
３４  光スイッチ素子
３５  切替状態インジケータ
３６  手動切替ボタン
４０  遠隔制御端末
４１  遠隔制御端末の表示画面
４２  遠隔操作画面
ＦＣ1〜ＦＣ11  光ファイバーケーブル
Ｔ１〜Ｔ５  通信装置
ＳＷ１〜ＳＷ３  光通信線路切替装置
ＬＡＮ  ローカルエリアネットワーク
【図１】
2005303767.tif 000003
【図２】
2005303767.tif 000004
【図３】
2005303767.tif 000005
【図４】
2005303767.tif 000006
【図５】
2005303767.tif 000007
【図６】
2005303767.tif 000008
【図７】
2005303767.tif 000009
【図８】
2005303767.tif 000010